(57)【要約】【課題】接続状態に対応する音声の種類の自動設定と、ユーザによる音声の種類の設定とを、ＲＣＡピンジャックに接続するプラグの種類によって切り換える。【解決手段】音声情報処理部８が出力する音声信号をスイッチ３１〜３３の検出結果に対応した種類の信号に設定する構成において、スイッチ３１〜３３の取り付け位置を、信号側接触子の長さがＲＣＡピンプラグの規格よりも長いプラグがＲＣＡピンジャック２１〜２３に接続されたときには、前記プラグの信号側接触子によって作動され、ＲＣＡピンプラグの信号側接触子によっては作動されない位置とし、スイッチ３１〜３３の作動状態がＲＣＡピンジャック２１〜２３に前記プラグが接続されていないことを示すときには、音声情報処理部８が出力する音声信号をユーザにより設定された種類の信号としている。【選択図】  図１
2006302403.tif 000002
【特許請求の範囲】
【請求項１】
光ディスクより再生された音声情報が入力され、前記音声情報を所定処理して得られた２チャンネルのアナログ音声信号と、前記音声情報に基づくデジタル音声信号とを出力する音声情報処理部と、
２チャンネルのアナログ音声信号のうちの一方の信号が導かれた第１のＲＣＡピンジャックと、
２チャンネルのアナログ音声信号のうちの他方の信号が導かれた第２のＲＣＡピンジャックと、
前記デジタル音声信号が導かれた第３のＲＣＡピンジャックと、
第１のＲＣＡピンジャックの近傍に設けられた第１の接続検出スイッチと、
第２のＲＣＡピンジャックの近傍に設けられた第２の接続検出スイッチと、
第３のＲＣＡピンジャックの近傍に設けられた第３の接続検出スイッチと、
音声情報処理部が出力するアナログ音声信号とデジタル音声信号とを、第１から第３の接続検出スイッチの作動状態に対応した種類の信号に設定する出力音声設定部とを備えた光ディスク再生装置において、
第１から第３の接続検出スイッチのそれぞれの取り付け位置を、信号側接触子の長さを除く形状がＲＣＡピンプラグの規格に対応するとともに信号側接触子の長さがＲＣＡピンプラグの規格よりも長いスイッチ作動接続プラグが、第１から第３のＲＣＡピンジャックのうちの対応するＲＣＡピンジャックに接続されるときでは、スイッチ作動接続プラグの信号側接触子によって作動され、ＲＣＡピンプラグが第１から第３のＲＣＡピンジャックのうちの対応するＲＣＡピンジャックに接続されるときでは、ＲＣＡピンプラグの信号側接触子によっては作動されない位置とし、
出力音声設定部は、第１から第３の接続検出スイッチの作動状態が、第１から第３のＲＣＡピンジャックのいずれにもスイッチ作動接続プラグが接続されていないことを示すときには、音声情報処理部が出力する音声信号を、ユーザにより設定された種類の信号とし、第１の接続検出スイッチと第２の接続検出スイッチとのうちの一方のみが作動状態にあるときには、音声情報処理部が出力する２チャンネルのアナログ音声信号を、２チャンネルの音声に対応する信号とするとともに第１または第２のＲＣＡピンジャックのうちのひとつのＲＣＡピンジャックの接続が行われていないことを示すメッセージを表示装置に表示することを特徴とする光ディスク再生装置。
【請求項２】
光ディスクより再生された音声情報が入力され、前記音声情報を所定処理して得られた音声信号を出力する音声情報処理部と、
音声情報処理部が出力する音声信号が導かれたＲＣＡピンジャックと、
ＲＣＡピンジャックの近傍に設けられた接続検出スイッチと、
音声情報処理部が出力する音声信号を接続検出スイッチの作動状態に対応した種類の信号に設定する出力音声設定部とを備えた光ディスク再生装置において、
接続検出スイッチの取り付け位置を、信号側接触子の長さを除く形状がＲＣＡピンプラグの規格に対応するとともに信号側接触子の長さがＲＣＡピンプラグの規格よりも長いスイッチ作動接続プラグがＲＣＡピンジャックに接続されたときには、スイッチ作動接続プラグの信号側接触子によって作動され、ＲＣＡピンプラグがＲＣＡピンジャックに接続されたときでは、ＲＣＡピンプラグの信号側接触子によっては作動されない位置とし、
出力音声設定部は、接続検出スイッチの作動状態がＲＣＡピンジャックにスイッチ作動接続プラグが接続されていないことを示すときには、音声情報処理部が出力する音声信号を、ユーザにより設定された種類の信号とすることを特徴とする光ディスク再生装置。
【請求項３】
信号側接触子の長さを除く形状がＲＣＡピンプラグの規格に対応するとともに信号側接触子の長さがＲＣＡピンプラグの規格よりも長いプラグ部と、
その信号側接触子がプラグ部の信号側接触子に電気的に接続され、その接地側接触子がプラグ部の接地側接触子に電気的に接続され、ＲＣＡピンプラグが接続可能であるジャック部とが一体に形成されていることを特徴とするプラグ用アダプタ。
【発明の詳細な説明】
【技術分野】
【０００１】
本発明は、ＲＣＡピンジャックを用いて、音声情報を所定処理して得られた２チャンネルのアナログ音声信号と、音声情報に基づくデジタル音声信号とを出力する光ディスク再生装置に係り、より詳細には、出力する音声を、ＲＣＡピンジャックの接続の状態に対応した種類に設定する光ディスク再生装置、および、前記光ディスク再生装置に使用可能なプラグ用アダプタに関する。
【背景技術】
【０００２】
今日広く普及しているＤＶＤでは、再生する音声の種類を、Ｄｏｌｂｙ  Ｄｉｇｉｔａｌ  ２ｃｈ（以下では、単に２ｃｈと称する）、または、Ｄｏｌｂｙ  Ｄｉｇｉｔａｌ  ５．１ｃｈ（以下では、単に５．１ｃｈと称する）、あるいは、ＤＴＳ（Ｄｉｇｉｔａｌ  Ｔｈｅａｔｅｒ  Ｓｙｓｔｅｍ）５．１ｃｈに切り換えことが可能となっている。しかし、ユーザの多くにとっては、設定画面において、２ｃｈ、あるいは、５．１ｃｈ、または、ＤＴＳ  ５．１ｃｈと表示されていても、その表示の意味を正しく理解できる人は少ない。また、ＤＶＤプレイヤの２ｃｈの音声出力と映像信号の出力とをテレビ受像機に接続してはいるが、デジタル音声出力を、５．１ｃｈの出力が可能な装置に接続していないときでは、５．１ｃｈを選択した場合であっても、５．１ｃｈのうちの２チャンネル分の音声がテレビ受像機から出力されるに過ぎないことになる（このことに気づかないユーザも多い）。
【０００３】
このような事態を解消するため、以下に示す技術が提案されている（第１の従来技術とする）。すなわち、この技術では、５．１ｃｈの音声を出力可能とするために設けられた６つのアンプのそれぞれに、流入電流を検出する電流検出部を設けている。そして、周波数が掃引される音声信号をアンプに与えたときの電流検出部の検出結果から、アンプのそれぞれについて、スピーカが接続されているかどうかということと、スピーカが接続されているときでは、そのスピーカが低音用のスピーカであるかどうかを調べている。そして、各アンプに接続されたスピーカの状態に基づき、最適となる音声出力の種類（再生形態パターン）を自動で選択するとともに、選択された音声の種類を表示部に表示している。また、信号処理回路が出力する音声信号の種類が、選択した音声信号の種類となるように、信号処理回路を自動設定している。さらには、自動的な選択ではなく、各アンプに接続されたスピーカの状態に基づき、ユーザが選択することが可能となる音声出力の種類を表示する機能が備わっていることも併せて開示されている（例えば、特許文献１参照）。
【０００４】
また、以下に示す技術が提案されている（第２の従来技術とする）。すなわち、この技術では、オーディオ接続ケーブルが接続される４チャンネルオーディオ出力端子のケーブルの接続状態を、出力端子接続検出部を用いて検出している。そして、検出結果に従って、オーディオ出力端子に送出する音声信号を、最適なモードの信号に切り換えている（例えば、特許文献２参照）。
【０００５】
また、本願出願人により、以下に示す技術が提案されている（第３の従来技術とする）。すなわち、この技術では、付属スピーカにスピーカユニットとＲＣＡピンプラグとを設けるとともに、ＲＣＡピンプラグとスピーカユニットとを電気的に接続している。また、テレビ受像機の側には、ＲＣＡピンジャックを設けるとともに、このＲＣＡピンジャックに音声信号を導いている。且つ、ＲＣＡピンジャックの奥側に、ＲＣＡピンプラグの先端部位により押圧されて接続状態が切り換わるスイッチを設けている。そして、前記スイッチが押圧されない接続状態にあるときには、付属スピーカは接続されていないとして、テレビ受像機に設けられた２つの内蔵スピーカでもって、ステレオ音声を出力するようになっている。一方、前記スイッチが押圧された接続状態となるときには、付属スピーカが接続されているとして、左右一対の付属スピーカからステレオ音声を出力させるようにするとともに、２つの内蔵スピーカからは、ステレオ音声信号を加算して得られたモノラル音声を出力させている。すなわち、付属スピーカが接続されたときでは、テレビ受像機に内蔵されたスピーカを、疑似的なセンタースピーカとして用い、サラウンド効果を得ている（例えば、特許文献３参照）。
【特許文献１】特開２００３−２０４６００号公報（第００１３−００１８段落）
【特許文献２】特開平８−１１１９００号公報（第０００９−００１１段落）
【特許文献３】特開２００４−２８２３９５号公報（第００１８−００３５段落）
【発明の開示】
【発明が解決しようとする課題】
【０００６】
ＤＶＤプレイヤには、アナログ音声信号を出力するＲＣＡピンジャックやデジタル音声信号を出力するＲＣＡピンジャック（コアキシャル出力端子）が設けられている。そして、このＲＣＡピンジャックにＲＣＡピンプラグが接続されたかどうかに応じて、出力する音声の種類を設定しようとする場合に、上記従来技術を用いると、以下に示す問題を生じる。
【０００７】
すなわち、第１の従来技術においては、アンプのそれぞれについて、スピーカが接続されているかどうかということと、スピーカが接続されているときでは、そのスピーカが低音用のスピーカか、または、通常用のスピーカかどうかを調べている。そして、各アンプに接続されたスピーカの状態に基づき、最適となる音声出力の種類を自動で選択する構成となっている。すなわち、ＲＣＡピンジャックにプラグが接続されたかどうかを検出する必要の無い技術となっている。このため、ＲＣＡピンジャックにＲＣＡピンプラグが接続されたかどうかに応じて、出力する音声の種類を設定しようとする場合には、適用することが困難な技術となっている。
【０００８】
第２の従来技術は、オーディオ接続ケーブルが接続される４チャンネルオーディオ出力端子のケーブルの接続状態を、出力端子接続検出部を用いて検出し、検出結果に従って、オーディオ出力端子に送出する音声信号を、最適なモードの信号に切り換えることが開示されているが、ケーブルの接続状態を検出する方法については、具体的に開示されていない。このため、ＲＣＡピンジャックにＲＣＡピンプラグが接続されたかどうかに応じて、出力する音声の種類を設定しようとする場合では、適用することが困難な技術となっている。
【０００９】
第３の従来技術は、ＲＣＡピンジャックの奥側に、ＲＣＡピンプラグの先端部位により押圧されて接続状態が切り換わるスイッチを備えている。すなわち、ＲＣＡピンジャックにＲＣＡピンプラグが接続されたかどうかを検出する具体的な構成を開示した技術となっている。このため、ＲＣＡピンジャックにＲＣＡピンプラグが接続されたかどうかに応じて、出力する音声の種類を設定しようとする場合では、適用可能な技術となっている。
【００１０】
しかし、ＲＣＡピンジャックにＲＣＡピンプラグが接続されたかどうかに応じて、出力する音声を自動で設定する場合では、ユーザが、出力する音声の種類を自ら変更したいと思っても、その変更ができない、という不便さがある。一方、第１の従来技術においては、自動選択を可能にするとともに、各アンプに接続されたスピーカの状態に基づき、ユーザが選択することが可能となる音声出力の種類を表示する機能も有していることが開示されている。しかし、この機能を有効にするには、自動的な選択を行うモードと、ユーザによる選択を可能とするモードとに切り換える必要が生じる。すなわち、設定画面を表示した状態において、リモートコントローラを用いてモードを切り換える操作を必要とする。しかし、リモートコントローラを用いた設定は操作が複雑化するので、モードの切り換えの手順を、より分かり易いものとする方法が求められている。
【００１１】
本発明は、上記の問題点を解決するため創案されたものであり、その目的は、接続状態に対応する音声の種類の自動設定と、ユーザによる音声の種類の設定とを、ＲＣＡピンジャックに接続するプラグの種類によって切り換えることのでき、且つ、２チャンネルの音声信号の一方が接続されていないときには、その旨を知らせることのできる光ディスク再生装置を提供することにある。
【００１２】
また本発明の目的は、信号側接触子の長さを除く形状がＲＣＡピンプラグの規格に対応するとともに信号側接触子の長さがＲＣＡピンプラグの規格よりも長いスイッチ作動接続プラグがＲＣＡピンジャックに接続されたときには作動し、ＲＣＡピンプラグがＲＣＡピンジャックに接続されたときでは作動しない接続検出スイッチを設けることにより、接続状態に対応する音声の種類の自動設定と、ユーザによる音声の種類の設定とを、ＲＣＡピンジャックに接続するプラグの種類によって切り換えることのできる光ディスク再生装置を提供することにある。
【００１３】
また本発明の目的は、信号側接触子の長さを除く形状がＲＣＡピンプラグの規格に対応するとともに信号側接触子の長さがＲＣＡピンプラグの規格よりも長いプラグ部と、ＲＣＡピンプラグが接続可能なジャック部とを一体に形成することにより、接続状態に対応した音声の種類の設定を自動で行わせるときにも、端部の両側にＲＣＡピンプラグが接続されたケーブルを使用することのできるプラグ用アダプタを提供することにある。
【課題を解決するための手段】
【００１４】
上記の課題を解決するため、本発明に係る光ディスク再生装置は、光ディスクより再生された音声情報が入力され、前記音声情報を所定処理して得られた２チャンネルのアナログ音声信号と、前記音声情報に基づくデジタル音声信号とを出力する音声情報処理部と、２チャンネルのアナログ音声信号のうちの一方の信号が導かれた第１のＲＣＡピンジャックと、２チャンネルのアナログ音声信号のうちの他方の信号が導かれた第２のＲＣＡピンジャックと、前記デジタル音声信号が導かれた第３のＲＣＡピンジャックと、第１のＲＣＡピンジャックの近傍に設けられた第１の接続検出スイッチと、第２のＲＣＡピンジャックの近傍に設けられた第２の接続検出スイッチと、第３のＲＣＡピンジャックの近傍に設けられた第３の接続検出スイッチと、音声情報処理部が出力するアナログ音声信号とデジタル音声信号とを、第１から第３の接続検出スイッチの作動状態に対応した種類の信号に設定する出力音声設定部とを備えた光ディスク再生装置に適用している。そして、第１から第３の接続検出スイッチのそれぞれの取り付け位置を、信号側接触子の長さを除く形状がＲＣＡピンプラグの規格に対応するとともに信号側接触子の長さがＲＣＡピンプラグの規格よりも長いスイッチ作動接続プラグが、第１から第３のＲＣＡピンジャックのうちの対応するＲＣＡピンジャックに接続されるときでは、スイッチ作動接続プラグの信号側接触子によって作動され、ＲＣＡピンプラグが第１から第３のＲＣＡピンジャックのうちの対応するＲＣＡピンジャックに接続されるときでは、ＲＣＡピンプラグの信号側接触子によっては作動されない位置としている。また、出力音声設定部は、第１から第３の接続検出スイッチの作動状態が、第１から第３のＲＣＡピンジャックのいずれにもスイッチ作動接続プラグが接続されていないことを示すときには、音声情報処理部が出力する音声信号を、ユーザにより設定された種類の信号とし、第１の接続検出スイッチと第２の接続検出スイッチとのうちの一方のみが作動状態にあるときには、音声情報処理部が出力する２チャンネルのアナログ音声信号を、２チャンネルの音声に対応する信号とするとともに第１または第２のＲＣＡピンジャックのうちのひとつのＲＣＡピンジャックの接続が行われていないことを示すメッセージを表示装置に表示する。
【００１５】
すなわち、ＲＣＡピンジャックにＲＣＡピンプラグを接続するときでは、接続検出スイッチは作動しない。従って、ＲＣＡピンジャックから出力される音声信号は、ユーザにより設定された種類の信号となる。一方、ＲＣＡピンジャックにスイッチ作動接続プラグを接続するときでは、接続検出スイッチが作動する。従って、ＲＣＡピンジャックから出力される音声信号は、接続状態に対応した種類の信号に自動設定される。また、２チャンネルのアナログ音声信号の一方が接続されていないときでは、そのことを示すメッセージが表示される。
【００１６】
また本発明に係る光ディスク再生装置は、光ディスクより再生された音声情報が入力され、前記音声情報を所定処理して得られた音声信号を出力する音声情報処理部と、音声情報処理部が出力する音声信号が導かれたＲＣＡピンジャックと、ＲＣＡピンジャックの近傍に設けられた接続検出スイッチと、音声情報処理部が出力する音声信号を接続検出スイッチの作動状態に対応した種類の信号に設定する出力音声設定部とを備えた光ディスク再生装置に適用している。そして、接続検出スイッチの取り付け位置を、信号側接触子の長さを除く形状がＲＣＡピンプラグの規格に対応するとともに信号側接触子の長さがＲＣＡピンプラグの規格よりも長いスイッチ作動接続プラグがＲＣＡピンジャックに接続されたときには、スイッチ作動接続プラグの信号側接触子によって作動され、ＲＣＡピンプラグがＲＣＡピンジャックに接続されたときでは、ＲＣＡピンプラグの信号側接触子によっては作動されない位置とし、出力音声設定部は、接続検出スイッチの作動状態がＲＣＡピンジャックにスイッチ作動接続プラグが接続されていないことを示すときには、音声情報処理部が出力する音声信号を、ユーザにより設定された種類の信号としている。
【００１７】
すなわち、ＲＣＡピンジャックにＲＣＡピンプラグを接続するときでは、接続検出スイッチは作動しない。従って、ＲＣＡピンジャックから出力される音声信号は、ユーザにより設定された種類の信号となる。一方、ＲＣＡピンジャックにスイッチ作動接続プラグを接続するときでは、接続検出スイッチが作動する。従って、ＲＣＡピンジャックから出力される音声信号は、接続状態に対応した種類の信号に自動設定される。
【００１８】
また本発明に係るプラグ用アダプタは、信号側接触子の長さを除く形状がＲＣＡピンプラグの規格に対応するとともに信号側接触子の長さがＲＣＡピンプラグの規格よりも長いプラグ部と、その信号側接触子がプラグ部の信号側接触子に電気的に接続され、その接地側接触子がプラグ部の接地側接触子に電気的に接続され、ＲＣＡピンプラグが接続可能であるジャック部とが一体に形成されている。
【００１９】
すなわち、光ディスクより再生された音声情報が入力され、前記音声情報を所定処理して得られた音声信号を出力する音声情報処理部と、音声情報処理部が出力する音声信号が導かれたＲＣＡピンジャックと、ＲＣＡピンジャックの近傍に設けられた接続検出スイッチと、音声情報処理部が出力する音声信号を接続検出スイッチの検出結果に対応した種類の信号に設定する出力音声設定部とを備え、接続検出スイッチの取り付け位置を、信号側接触子の長さを除く形状がＲＣＡピンプラグの規格に対応するとともに信号側接触子の長さがＲＣＡピンプラグの規格よりも長いスイッチ作動接続プラグがＲＣＡピンジャックに接続されたときには、スイッチ作動接続プラグの信号側接触子によって作動され、ＲＣＡピンプラグがＲＣＡピンジャックに接続されたときでは、ＲＣＡピンプラグの信号側接触子によっては作動されない位置とし、出力音声設定部は、接続検出スイッチの作動状態がＲＣＡピンジャックにスイッチ作動接続プラグが接続されていないことを示すときには、音声情報処理部が出力する音声信号を、ユーザにより設定された種類の信号とする装置のＲＣＡピンジャックにプラグ部を接続し、ジャック部にＲＣＡピンジャックを接続するときでは、端部の両側にＲＣＡピンプラグが接続されたケーブルを用いるときでも、前記装置のＲＣＡピンジャックから出力される音声信号を、接続状態に対応した種類の信号とすることができる。
【発明の効果】
【００２０】
本発明によれば、ＲＣＡピンジャックにＲＣＡピンプラグを接続するときでは、接続検出スイッチは作動しない。従って、ＲＣＡピンジャックから出力される音声信号は、ユーザにより設定された種類の信号となる。一方、ＲＣＡピンジャックにスイッチ作動接続プラグを接続するときでは、接続検出スイッチが作動する。従って、ＲＣＡピンジャックから出力される音声信号は、接続状態に対応した種類の信号に自動設定される。また、２チャンネルのアナログ音声信号の一方が接続されていないときでは、そのことを示すメッセージが表示される。このため、接続状態に対応する音声の種類の自動設定と、ユーザによる音声の種類の設定とを、ＲＣＡピンジャックに接続するプラグの種類によって切り換えることができ、且つ、２チャンネルのアナログ音声信号の一方が接続されていないときには、その旨を知らせることができる。
【００２１】
また本発明によれば、ＲＣＡピンジャックにＲＣＡピンプラグを接続するときでは、接続検出スイッチは作動しない。従って、ＲＣＡピンジャックから出力される音声信号は、ユーザにより設定された種類の信号となる。一方、ＲＣＡピンジャックにスイッチ作動接続プラグを接続するときでは、接続検出スイッチが作動する。従って、ＲＣＡピンジャックから出力される音声信号は、接続状態に対応した種類の信号に自動設定される。このため、接続状態に対応する音声の種類の自動設定と、ユーザによる音声の種類の設定とを、ＲＣＡピンジャックに接続するプラグの種類によって切り換えることができる。
【００２２】
また本発明によれば、光ディスクより再生された音声情報が入力され、前記音声情報を所定処理して得られた音声信号を出力する音声情報処理部と、音声情報処理部が出力する音声信号が導かれたＲＣＡピンジャックと、ＲＣＡピンジャックの近傍に設けられた接続検出スイッチと、音声情報処理部が出力する音声信号を接続検出スイッチの検出結果に対応した種類の信号に設定する出力音声設定部とを備え、接続検出スイッチの取り付け位置を、信号側接触子の長さを除く形状がＲＣＡピンプラグの規格に対応するとともに信号側接触子の長さがＲＣＡピンプラグの規格よりも長いスイッチ作動接続プラグがＲＣＡピンジャックに接続されたときには、スイッチ作動接続プラグの信号側接触子によって作動され、ＲＣＡピンプラグがＲＣＡピンジャックに接続されたときでは、ＲＣＡピンプラグの信号側接触子によっては作動されない位置とし、出力音声設定部は、接続検出スイッチの作動状態がＲＣＡピンジャックにスイッチ作動接続プラグが接続されていないことを示すときには、音声情報処理部が出力する音声信号を、ユーザにより設定された種類の信号とする装置のＲＣＡピンジャックにプラグ部を接続し、ジャック部にＲＣＡピンジャックを接続するときでは、端部の両側にＲＣＡピンプラグが接続されたケーブルを用いるときでも、前記装置のＲＣＡピンジャックから出力される音声信号を、接続状態に対応した種類の信号とすることができる。このため、接続状態に対応した音声の種類の設定を自動で行わせるときにも、端部の両側にＲＣＡピンプラグが接続されたケーブルを使用することができる。
【発明を実施するための最良の形態】
【００２３】
以下、本発明の実施の形態について図を参照して説明する。
【００２４】
図１は、本発明に係る光ディスク再生装置の一実施形態であるＤＶＤプレイヤの電気的構成を示すブロック線図である。
【００２５】
図において、光ピックアップ３は、ディスクモータ２により回転駆動されるＤＶＤ（光ディスク）に記録された情報を読み取って信号処理部４に出力する。信号処理部４は、光ピックアップ３より出力されたＲＦ信号を増幅した後、デジタルデータを取り出す。そして、取り出したデジタルデータを所定処理（８−１６復調とエラー訂正）して得られた映像音声情報をストリーム分離部５に出力する。
【００２６】
ストリーム分離部５は、信号処理部４より出力される映像音声情報を、映像情報とサブピクチャ情報と音声情報とに分離する。そして、分離した映像情報を映像信号デコード部６に送出し、分離した音声情報を音声情報処理部８に送出する（サブピクチャ情報は、サブピクチャ用の処理部に送出されるが、この処理部は図示が省略されている）。また、ストリーム分離部５は、ＤＶＤ１に記録されたデータの記録位置等に関する情報をマイクロコンピュータ（以下では、マイコンと称する）９に送出する。
【００２７】
映像信号デコード部６は、映像情報をＭＰＥＧ２方式でデコードすることにより、デジタル映像信号を復調する。また、図示されないオンスクリーンディスプレイ部を用いて、マイコン９より指示された文字等の情報を示す信号を生成し、デジタル映像信号に重畳する。Ｄ／Ａ変換部７は、映像信号デコード部６より送出されるデジタル映像信号をアナログ映像信号に変換し、映像信号用の出力端子２４に出力する。
【００２８】
音声情報処理部８は、ストリーム分離部５から送出される音声情報を所定処理して得られた２チャンネルのアナログ音声信号のうちの一方を、音声出力端子である第１のＲＣＡピンジャック２１に出力する。また、前記２チャンネルのアナログ音声信号のうちの他方を、音声出力端子である第２のＲＣＡピンジャック２２に出力する。また、ストリーム分離部５から送出された音声情報に基づくデジタル音声信号を、コアキシャル出力端子である第３のＲＣＡピンジャック２３に出力する。このため、デコード部１１、ダウンミックス部１２、および、Ｄ／Ａ変換部１３を備えている。
【００２９】
デコード部１１は、ストリーム分離部５から送出される音声情報を所定方式で伸長することでもって、５．１ｃｈの音声を示す情報を復調し、ダウンミックス部１２に送出する。ダウンミックス部１２は、２ｃｈの音声の出力の指示が与えられたときには、５．１ｃｈの音声を示す情報を混合することによって、２ｃｈの音声を示すデジタル音声信号を生成し、Ｄ／Ａ変換部１３に送出する。また、５．１ｃｈの音声の出力であるときには、５．１ｃｈの音声のうち、前側左右の音声を示すデジタル音声信号をＤ／Ａ変換部１３に送出する。
【００３０】
Ｄ／Ａ変換部１３は、ダウンミックス部１２から送出される２ｃｈのデジタル音声信号を左右一対のアナログ音声信号に変換し、第１のＲＣＡピンジャック２１と第２のＲＣＡピンジャック２２とに送出する。
【００３１】
第１の接続検出スイッチ３１（以下では、第１のスイッチ３１と称する）は、第１のＲＣＡピンジャック２１の近傍に設けられ、第１のＲＣＡピンジャック２１にスイッチ作動接続プラグ（後に詳述する）が接続されたかどうかを検出する。第２の接続検出スイッチ３２（以下では、第２のスイッチ３２と称する）は、第２のＲＣＡピンジャック２２の近傍に設けられ、第２のＲＣＡピンジャック２２にスイッチ作動接続プラグが接続されたかどうかを検出し、第３の接続検出スイッチ３３（以下では、第３のスイッチ３３と称する）は、第３のＲＣＡピンジャック２３の近傍に設けられ、第３のＲＣＡピンジャック２３にスイッチ作動接続プラグが接続されたかどうかを検出する。
【００３２】
ここで、図２を参照しつつ、第１〜第３のＲＣＡピンジャック２１〜２３の構造について説明する。なお、同図（Ａ）は断面図、（Ｂ）は矢印Ｂ方向に見た側面図、（Ｃ）はＡＡ断面図である。また、第１〜第３のＲＣＡピンジャック２１〜２３の全ては、同一の構造となっている。
【００３３】
ＲＣＡピンジャックは、絶縁基台２１１に形成され、丸穴２１１２を有する略円柱状の凸部２１１１の外周面に取り付けられた略円筒状の接地側接触子２１２を備えている。また、丸穴２１１２の内周面の、中心を挟んで互いに対向する位置に取り付けられた一対の、略長方形状の信号側接触子２１３を備えている。また、接地側接触子２１２には４つの突起部２１２１が形成されており、この４つの突起部２１２１が絶縁基台２１１の裏側に突出することで、接地側接触子２１２は絶縁基台２１１に固定されている。また、信号側接触子２１３は、その端部２１３１が絶縁基台２１１の裏側に突出している。
【００３４】
また、丸穴２１１２の内周面には、プラグに設けられた信号側接触子（破線４３１により示す）との接触を良好とするために、金属からなるリング状の接触子２１４が設けられている。また、一対の信号側接触子２１３は、このリング状の接触子２１４と電気的に接続されている。
【００３５】
ＲＣＡピンジャックは上記した形状となっている。すなわち、丸穴２１１２を挿通して、プラグ側の信号側接触子４３１が、絶縁基台２１１の裏側に突出可能に構成されている。また、信号側接触子４３１を絶縁基台２１１の裏側に突出可能とするため、ＲＣＡピンジャック側の信号側接触子を２つの部材２１３に分割しているにもかかわらず、リング状の接触子２１４を備えることによって、プラグ側の信号側接触子４３１との接触の確実さを確保した構造となっている。
【００３６】
以下に、図３を参照しつつ、本実施形態において使用されるスイッチ作動接続プラグの形状について説明する。
【００３７】
スイッチ作動接続プラグ４３の形状は、信号側接触子４３１の長さを除くと、ＲＣＡピンプラグの規格に対応した形状となっている。そして、信号側接触子４３１の長さは、ＲＣＡピンプラグの規格における長さ（破線４１１により示す長さ）よりも、先端４３１１側に向かってｄ（所定量）だけ長くなっている。なお、４３２は接地側接触子であり、４３３は、接地側接触子４３２および信号側接触子４３１を支持する絶縁部材となっている。
【００３８】
図４は、第１〜第３のスイッチ３１〜３３の取り付け位置を示している。すなわち、第１〜第３のスイッチ３１〜３３のそれぞれは、第１〜第３のＲＣＡピンジャック２１〜２３にＲＣＡピンプラグ（４１，４２により示す）が接続されるときでは、ＲＣＡピンプラグの信号側接触子４１１，４２１の先端部から離れた位置にあり、スイッチ作動接続プラグ（４３により示す）が接続されるときでは、信号側接触子４３１の先端部が届き、スイッチを作動させる（オンにする）位置に取り付けられている。
【００３９】
図１を参照した説明に戻る。マイコン９は、ＤＶＤプレイヤとしての主要動作を制御する。すなわち、ユーザから再生の指示が入力されたときには、ＤＶＤ１に記録された情報を再生する制御を行うことにより、出力端子２４から映像信号を送出する。また、第１〜第３のＲＣＡピンジャック２１〜２３を用い、第１〜第３のスイッチ３１〜３３の作動状態に従って、５．１ｃｈに対応する音声信号、または、２ｃｈに対応する音声信号を送出する。このため、出力音声設定部１４を備えている。
【００４０】
出力音声設定部１４は、音声情報処理部８が出力する２チャンネルのアナログ音声信号とデジタル音声信号とを、第１〜第３のスイッチ３１〜３３の作動状態に対応した種類の信号に設定する。すなわち、第１のスイッチ３１と第２のスイッチ３２とのうちの少なくとも一方がスイッチ作動接続プラグ４３の接続を検出し、第３のスイッチ３３がスイッチ作動接続プラグ４３の接続を検出しないときでは、音声情報処理部８が出力する音声の種類を、２ｃｈ用の音声とする。また、第３のスイッチ３３がスイッチ作動接続プラグ４３の接続を検出するときでは、音声情報処理部８が出力する音声の種類を、５．１ｃｈの音声とする。また、第１〜第３のスイッチ３１〜３３の全てが、スイッチ作動接続プラグ４３の接続を検出しないときでは、音声情報処理部８が出力する音声の種類を、予め、ユーザにより設定された音声の種類とする。
【００４１】
すなわち、出力音声設定部１４は、第１〜第３のスイッチ３１〜３３のいずれかがスイッチ作動接続プラグ４３が接続されたことを検出するときでは、検出結果に従って、音声情報処理部８が出力する音声の種類を自動設定する。一方、第１〜第３のスイッチ３１〜３３のいずれにおいても、作動接続プラグ４３の接続が検出されないときでは、ユーザにより設定された音声の種類に設定する。すなわち、音声の種類の設定が、自動設定からマニュアルの設定に変更される。
【００４２】
図５は、音声の種類を設定するときの実施形態の主要動作を示すフローチャートである。必要に応じて同図を参照しつつ、実施形態の動作を説明する。
【００４３】
いま、図７（Ａ）に示す接続になっているとする。すなわち、第１および第２のＲＣＡピンジャック２１，２２から出力される２チャンネルのアナログ音声信号がテレビ受像機５２の左右の音声入力に導かれているとする。また、この接続には、図６（Ａ）に示したように、ケーブルの一方の側にはスイッチ作動接続プラグ６１が接続され、他方にはＲＣＡピンプラグ６２が接続されたケーブルが用いられるとともに、スイッチ作動接続プラグ６１が、本実施形態５１の側の接続に使用されているとする。
【００４４】
上記接続となっているときに、再生の指示が入力されると（ステップＳ１）、出力音声設定部１４は、第１〜第３のスイッチ３１〜３３のオンオフ状態が、第３のスイッチ３３がオン、または、第１および第２のスイッチ３１，３２の双方がオン、または、第１および第２のスイッチ３１，３２の一方がオン、または、全てのスイッチ３１〜３３がオフのいずれの状態になっているかを調べる（ステップＳ２）。
【００４５】
このときでは、第３のスイッチ３３はオフ、第１のスイッチ３１と第２のスイッチ３２とがオンになっているので、動作は、ステップＳ３、ステップＳ１１、ステップＳ１２と移行し、出力音声設定部１４は、第１および第２のＲＣＡピンジャック２１，２２から２ｃｈのアナログ音声信号を出力させるように、音声情報処理部８を設定する。このため、テレビ受像機５２のスピーカ５２Ｌ，５２Ｒからは、ダウンミックス部１２においてダウンミックスされたステレオ音声が出力される。
【００４６】
なお、上記接続において、第１のＲＣＡピンジャック２１へのスイッチ作動接続プラグ６１の接続、または、第２のＲＣＡピンジャック２２へのスイッチ作動接続プラグ６１の接続の一方が忘れられているときでは、動作は、ステップＳ１〜Ｓ３，Ｓ１１，Ｓ１３と移行し、第１のスイッチ３１と第２のスイッチ３２とのうち、オンになっていない側のＲＣＡピンジャックにケーブルが接続されていないことを示すメッセージをテレビ受像機（表示装置）５２に表示する（ステップＳ１４）。なお、このときでも、第１および第２のＲＣＡピンジャック２１，２２には、ダウンミックスされた２ｃｈのアナログ音声信号が出力される（ステップＳ１２）。
【００４７】
いま、図７（Ｂ）に示す接続になっているとする。すなわち、出力端子２４から送出される映像信号は、デコーダ内蔵アンプ（以下では、単にアンプと称する）５３を介して、テレビ受像機５４に導かれているとする。また、第３のＲＣＡピンジャック２３から送出されるデジタル音声信号がアンプ５３に導かれているとする。そして、アンプ５３には、５．１ｃｈの音声信号に対応するスピーカ群が接続されているとする。また、本実施形態５１との接続には、スイッチ作動接続プラグ６１が使用されているとする。すなわち、第３のＲＣＡピンジャック２３にスイッチ作動接続プラグ６１が接続されているため、第３のスイッチ３３がオン状態になっているとする。
【００４８】
上記接続となっているときでは、動作は、ステップＳ１〜Ｓ４と移行し、ＤＶＤ１にＤＴＳ  ５．１ｃｈの音声情報が記録されているかどうかが調べられる。そして、記録されていないときでは、出力音声設定部１４は、５．１ｃｈのデジタル音声信号が第３のＲＣＡピンジャック２３から送出されるように音声情報処理部８を設定する（ステップＳ５，Ｓ７）。一方、ＤＴＳ  ５．１ｃｈの音声情報が記録されているときでは、出力音声設定部１４は、ＤＴＳ  ５．１ｃｈのデジタル音声信号が第３のＲＣＡピンジャック２３から送出されるように音声情報処理部８を設定する（ステップＳ５，Ｓ６）。
【００４９】
一方、ユーザが、図６（Ｂ）に示したように、ケーブルの端部の双方にＲＣＡピンプラグ６２が接続されたケーブルを用いて、図７（Ａ）に示す接続、あるいは、図７（Ｂ）に示す接続を行ったとする。このときでは、接続検出スイッチ３１〜３３の全てがオフとなる。従って、このとき、再生の指示を入力すると、動作は、ステップＳ１〜Ｓ３，Ｓ１１，Ｓ１３，Ｓ１５と移行し、出力音声設定部１４は、予め、ユーザによって入力された設定に従って音声情報処理部８が出力する音声の種類を設定する。
【００５０】
以上説明したように、第１〜第３のＲＣＡピンジャック２１〜２３に接続するプラグに、スイッチ作動接続プラグ６１を用いるときでは、音声の種類が自動で設定され、ＲＣＡピンプラグ６２を用いるときでは、ユーザが予め設定した音声の種類に設定される。つまり、音声の種類の自動設定にはスイッチ作動接続プラグ６１を使用する必要がある。このため、市販の任意の長さの接続ケーブルを用いるときもに、音声の種類の自動設定が可能であるときには、使い勝手のよいものとなる。
【００５１】
図８は、市販のケーブルを使用可能とするためのプラグ用アダプタを示しており、プラグ用アダプタ７０の一方の側に形成されたプラグ部７１は、信号側接触子７１１の長さを除く形状がＲＣＡピンプラグの規格に対応した形状となっており、且つ、信号側接触子７１１の長さが、ＲＣＡピンプラグの規格における長さよりも先端側に延長されている。また、プラグ部７１と対向する側は、ＲＣＡピンプラグ６２が接続可能であるジャック部７２となっており、ジャック部７２とプラグ部７１とは電気的に接続されている。
【００５２】
従って、ジャック部７２にＲＣＡピンプラグ６２を接続するときでは、ＲＣＡピンプラグ６２の信号側接触子６２１はプラグ部７１の信号側接触子７１１に電気的に接続される。また、ＲＣＡピンプラグ６２の接地側接触子６２２はプラグ部７１の接地側接触子７１２に電気的に接続される。そして、プラグ用アダプタ７０のプラグ部７１を第１〜第３のＲＣＡピンジャック２１〜２３に接続するときでは、第１〜第３のスイッチ３１〜３３が作動する。
【００５３】
なお、本発明は上記実施形態に限定されず、ＤＶＤプレイヤに適用した場合について説明したが、録画機能を備えた装置（例えば、ＤＶＤレコーダ、ハードディスクドライブ一体型ＤＶＤレコーダ等）の場合にも、同様に適用することができる。
【００５４】
また、第１〜第３のスイッチ３１〜３３の作動状態に対応して、出力させることが可能となる音声の種類の一覧（第１および第２のスイッチ３１，３２がオンのときには２ｃｈの音声、第３のスイッチ３３がオンのときには、２ｃｈの音声と５．１ｃｈの音声）を、音声の種類を設定するための画面に、情報として表示することもできる。
【図面の簡単な説明】
【００５５】
【図１】本発明に係る光ディスク再生装置の一実施形態であるＤＶＤプレイヤの電気的構成を示すブロック線図である。
【図２】ＲＣＡピンジャックの構造を示す説明図である。
【図３】スイッチ作動接続プラグの構造を示す断面図である。
【図４】接続検出スイッチの取り付け位置を示す説明図である。
【図５】音声の種類を設定するときの実施形態の主要動作を示すフローチャートである。
【図６】接続用のケーブルを示す説明図である。
【図７】外部装置の接続例を示す説明図である。
【図８】プラグ用アダプタを示す説明図である。
【符号の説明】
【００５６】
１  ＤＶＤ（光ディスク）
１４  出力音声設定部
２１  第１のＲＣＡピンジャック
２２  第２のＲＣＡピンジャック
２３  第３のＲＣＡピンジャック
３１  第１の接続検出スイッチ
３２  第２の接続検出スイッチ
３３  第３の接続検出スイッチ
４１，４２，６２  ＲＣＡピンプラグ
４３，６１  スイッチ作動接続プラグ
５２  テレビ受像機（表示装置）
７０  プラグ用アダプタ
７１  プラグ部
７２  ジャック部
４３１  信号側接触子
７１１  信号側接触子
７１２  接地側接触子
【図１】
2006302403.tif 000003
【図２】
2006302403.tif 000004
【図３】
2006302403.tif 000005
【図４】
2006302403.tif 000006
【図５】
2006302403.tif 000007
【図６】
2006302403.tif 000008
【図７】
2006302403.tif 000009
【図８】
2006302403.tif 000010